(57)【要約】【課題】  常に高い作業サイクルの三方断裁を達成し、同時に、刷り本の確実な把持が保証される、刷り本を仕上げ断裁する装置内において刷り本を移動させる装置を提供する。【解決手段】  刷り本１の第１の位置で小口仕上げ断裁を実行し、刷り本１の第２の位置で天地仕上げ断裁を実行する三方断裁機１００内で、刷り本１を移動させる装置は、刷り本１を第１の位置に搬送する第１のくわえづめ１２１と、刷り本１を第２の位置に搬送する第２のくわえづめ１２２を有する。【選択図】    図３ａ
2004330409.tif 000002
【特許請求の範囲】
【請求項１】
刷り本（１）の第１の位置で小口仕上げ断裁を実行し、刷り本（１）の第２の位置で天地仕上げ断裁を実行する三方断裁機（１００）のなかで刷り本（１）を移動させる装置において、
前記刷り本（１）を第１の位置に搬送する第１のくわえづめ（１２１）と、該刷り本（１）を第２の位置に搬送する第２のくわえづめ（１２２）を有することを特徴とする、三方断裁機のなかで刷り本を移動させる装置。
【請求項２】
刷り本（１）の第１の位置で小口仕上げ断裁を行う小口用カッタ（２３）と、刷り本（１）の第２の位置で天地仕上げ断裁を行う２つの天地用カッタ（２１、２２）と、刷り本（１）をゼロ位置に搬送する搬送台（１９１）を有する、三方断裁機（１００）のなかで刷り本（１）を移動させる装置において、
前記搬送台（１９１）は、前記小口用カッタ（２３）へ手を届かせることが容易に行われるように、これから離れる方向に揺動できるように支持されていることを特徴とする、三方断裁機のなかで刷り本を移動させる装置。
【請求項３】
前記刷り本（１）を第１の位置に搬送する第１のくわえづめ（１２１）と、該刷り本（１）を第２の位置に搬送する第２のくわえづめ（１２２）を有する、請求項１または２に記載の装置であって、
第１のくわえづめ（１２１）が刷り本（１）を固定のゼロ位置から可変の第１の位置に搬送するように第１のくわえづめ（１２１）の駆動装置を制御する制御装置（９９）を有し、特に、前記ゼロ位置と前記第１の位置との間の距離が、本の背から仕上げ断裁された刷り本（１）の小口までの距離に対応している、請求項１または２に記載の装置。
【請求項４】
前記刷り本（１）を第１の位置に搬送する第１のくわえづめ（１２１）と、該刷り本（１）を第２の位置に搬送する第２のくわえづめ（１２２）を有する請求項１からのいずれか１項に記載の装置であって、
第１のくわえづめ（１２１）が前記刷り本（１）を第１の位置から、設定された渡し位置へ搬送するように、第１のくわえづめ（１２１）の駆動装置を制御する制御装置（９９）を有する、請求項１から３のいずれか１項に記載の装置。
【請求項５】
前記刷り本（１）を第１の位置に搬送する第１のくわえづめ（１２１）と、該刷り本（１）を第２の位置に搬送する第２のくわえづめ（１２２）を有する、請求項１から５のいずれか１に記載の装置であって
第２のくわえづめ（１２２）が前記刷り本（１）を、設定された渡し位置から前記第２の位置へ搬送するように第２のくわえづめ（１２２）の駆動装置を制御する制御装置（９９）を有する、請求項１から４のいずれか１項に記載の装置。
【請求項６】
前記刷り本（１）を第１の位置に搬送する第１のくわえづめ（１２１）と、該刷り本（１）を第２の位置に搬送する第２のくわえづめ（１２２）を有する、請求項１から５のいずれか１項に記載の装置であって
前記装置の制御装置（９９）に、前記くわえづめ（１２１、１２２）の少なくとも１つの位置を送信する少なくとも１つの信号発生器を有する、請求項１から５のいずれか１項に記載の装置。
【請求項７】
前記刷り本（１）を第１の位置に搬送する第１のくわえづめ（１２１）と、該刷り本（１）を第２の位置に搬送する第２のくわえづめ（１２２）を有する、請求項１から６のいずれか１項に記載の装置であって、
前記くわえづめ（１２１、１２２）の少なくとも１つが、くわえづめ（１２１、１２２）内の前記刷り本（１）を、ある位置から他の位置へ搬送するときに持ち上げる調節手段（１２９）を有する、請求項１から６のいずれか１項に記載の装置。
【請求項８】
前記刷り本（１）を第１の位置に搬送する第１のくわえづめ（１２１）と、該刷り本（１）を第２の位置に搬送する第２のくわえづめ（１２２）を有する、請求項１から７のいずれか１項に記載の装置であって、
前記刷り本（１）を、小口仕上げ断裁の前に、特に前記刷り本（１）から空気を押し出すために、大きな面で下方に押圧する第１の押さえつけ部材（１８０）を有する、請求項１から７のいずれか１項に記載の装置。
【請求項９】
前記第１の押さえつけ部材（１８０）が刷り本側に弾性のある表面を有する、請求項８に記載の装置。
【請求項１０】
前記刷り本（１）を第１の位置に搬送する第１のくわえづめ（１２１）と、該刷り本（１）を第２の位置に搬送する第２のくわえづめ（１２２）を有する、請求項１から９のいずれか１項に記載の装置であって、
前記刷り本（１）にゼロ位置を設定するストッパ手段（１８２）を有する、請求項１から９のいずれか１項に記載の装置。
【請求項１１】
前記刷り本（１）を前記ゼロ位置において前記ストッパ手段（１８２）にまっすぐに突き当てる直線突き当て手段（１９０）を有する、請求項１０に記載の装置。
【請求項１２】
前記ストッパ手段（１８２）は、前記刷り本（１）の搬送経路内で可動に支持されている、請求項１０または１１に記載の装置。
【請求項１３】
前記刷り本（１）を第１の位置に搬送する第１のくわえづめ（１２１）と、該刷り本（１）を第２の位置に搬送する第２のくわえづめ（１２２）を有する、請求項１から１２のいずれか１項に記載の装置であって、
渡し位置の近くに配置されている第２の押さえつけ部材（１８１）を有する、請求項１から１２のいずれか１項に記載の装置。
【請求項１４】
前記第１のくわえづめ（１２１）が前記刷り本（１）を渡し位置に搬送したとき、前記第２のくわえづめ（１２２）が前記刷り本（１）を前記渡し位置で把持するまで、前記第２の押さえつけ部材（１８１）が該刷り本（１）を押さえつけるように、該第２の押さえつけ部材（１８１）の駆動装置を制御する制御装置（９９）を有する、請求項１３に記載の装置。
【請求項１５】
前記刷り本（１）を第１の位置に搬送する第１のくわえづめ（１２１）と、該刷り本（１）を第２の位置に搬送する第２のくわえづめ（１２２）を有する、請求項１から１４のいずれか１項に記載の装置であって、
前記第２のくわえづめ（１２２）が先行する刷り本（１）を渡し位置から前記第２の位置へ搬送する間に、前記第１のくわえづめ（１２１）が刷り本（１’）をゼロ位置から前記第１の位置へ搬送するように、前記第１のくわえづめ（１２１）と第２のくわえづめ（１２２）の駆動装置を制御する制御装置（９９）を有する、請求項１から１４のいずれか１項に記載の装置。
【請求項１６】
前記刷り本（１）をゼロ位置へ搬送する搬送台（１９１）を有する、請求項１から１５のいずれか１項に記載の装置であって、
前記搬送台（１９１）は、車輪（１９６）を備えた少なくとも１つの脚部（１９５）を有する、請求項１から１５のいずれか１項に記載の装置。
【請求項１７】
前記刷り本（１）をゼロ位置へ搬送する搬送台（１９１）を有する、請求項１から１６のいずれか１項に記載の装置であって、
前記搬送台（１９１）は、該搬送台（１９１）を運転位置にロックするために、ロック装置（１９４）を有する、請求項１から１６のいずれか１項に記載の装置。
【発明の詳細な説明】
【技術分野】
【０００１】
本発明は、請求項１の前提項に記載の刷り本を仕上げ裁断する装置内で刷り本を移動させる装置に関する。
【背景技術】
【０００２】
通常、この種の装置は、刷り本の三方仕上げ断裁機において、刷り本を、小口仕上げ断裁が実行される第１の断裁位置から、天地仕上げ断裁が実行される第２の断裁位置に、順序をもちろん正確に反転することもできるけれど、搬送するために設置される。その場合、小口仕上げ断裁の断裁位置は、通常、可変である、その理由は、大抵、小口仕上げ断裁用のカッタは固定器具として取り付けられ、したがって、小口仕上げ断裁の断裁位置によってのみ、仕上げ断裁される刷り本の判型が決まるからである。天地仕上げ断裁の断裁位置は通常固定されている。その理由は、側面カッターは通常、水平に、かつ、刷り本の搬送経路の中心に関して対称にずらすことができ、そして、側面用カッターは、判型の異なる多数の刷り本を仕上げ断裁することができるように、搬送経路に沿って、長く延びているからである。
【０００３】
この種の装置が例えば特許文献１から公知である。この装置では、刃受け板が側面カッター（複数）に属付していて、該刃受け板は、天地用カッタと協働して移動することができるように支持されている。これらの可能の刃受け板同士の間には、仕上げ断裁されるべき刷り本を第１および第２の断裁位置まで搬送するくわえづめが移動可能に支持されている。
【特許文献１】ヨーロッパ特許出願公開明細書1132183A2
【発明の開示】
【発明が解決しようとする課題】
【０００４】
しかし、三方断裁の高いサイクルを達成し、同時に、刷り本の確実な把持が常に保証することが望ましいであろう。さらに、もし、搬送経路に対して横方向に配置されている小口用カッタに容易に手が届き、したがってカッタの交換が容易になるならば、そのことは望ましいことであろう。
【０００５】
したがって、本発明の目的は、刷り本を仕上げ断裁する装置内で刷り本を移動させる新しい装置を提供することである。
【課題を解決するための手段】
【０００６】
この目的は、請求項１および請求項２に記載されている特徴を有する、刷り本を仕上げ断裁する装置内で刷り本を移動させる、本発明の装置を用いて達成される。
【０００７】
それによれば、本発明の装置は、刷り本の第１の位置で小口仕上げ断裁を実行し、刷り本の第２の位置で天地仕上げ断裁を実行する、三方断裁機内で刷り本を移動させる装置である。本発明の装置は、刷り本を第１の位置に搬送する第１のくわえづめと、該刷り本を第２の位置に搬送する第２のくわえづめを有する。
【０００８】
その結果、刷り本を仕上げ断裁する装置によって刷り本が処理される速度は、もし、刷り本を仕上げ断裁する装置の、残りの構成要素の処理速度が許容されるならば、最大で２倍になる。
【０００９】
本発明の装置の有利な実施態様においては、該装置は、第１のくわえづめが刷り本を固定のゼロ位置から可変の第１の位置に刷り本を搬送するように第１のくわえづめの駆動装置を制御する制御装置を有し、この場合、ゼロ位置と第１の位置との間の距離は、本の背から仕上げ断裁された刷り本の小口までの距離に対応する。断裁順序、すなわち、最初に小口仕上げ断裁、次に天地仕上げ断裁の順序も、全く同様に、良好に反転することができることが当業者にとって明らかである。
【００１０】
本発明の装置の他の有利な実施態様においては、該装置は、第１のくわえづめが刷り本を第１の位置から、設定された渡し位置へ搬送するように第１のくわえづめの駆動装置を制御する制御装置を有する。渡し位置は、存在しているクランプ装置ができるだけ側面カッタと空間的にぶつからないように、側面カッタの前にあるのが有利である。
【００１１】
本発明の装置の他の有利な実施態様においては、該装置は、第２のくわえづめが刷り本を、設定された渡し位置から第２の位置へ搬送するように第２のくわえづめの駆動装置を制御する制御装置を有する。
【００１２】
本発明の装置の他の有利な実施態様においては、該装置は、その制御装置に、くわえづめの少なくとも１つの位置を送信する少なくとも１つの信号発生器を有する。その場合、くわえづめはには可変の断裁位置へ運ばれる第１のくわえづめであるのが有利である。第２のくわえづめも同様にそのような信号発生器を備えることができる。信号発生器は、従来技術から比較的多数の当業者に公知の信号発生器、例えば、絶対尺度で位置を読み出す光学的または磁気的センサである。
【００１３】
本発明の装置の他の有利な実施態様においては、くわえづめの少なくとも１つが、くわえづめのなかの刷り本を、ある位置から他の位置へ搬送するときに持ち上げる調節手段を有する。それによって、もし、それがなければ、刷り本が断裁台上で引きずられるときに生じる条痕のような、刷り本の摩耗現象が回避される。特に、黒くニス引きされた製本の場合、この引きずり跡が不都合に目につく。２つのくわえづめが搬送の間に刷り本を持ち上げるこれらの調整手段を備えていることが有利である。
【００１４】
本発明の装置の他の有利な実施態様においては、該装置は、刷り本を小口仕上げ断裁の前に、特に刷り本から空気を押し出すために、大きな面で下方に押しつける第１の押さえつけ部材を有する。それによって、刷り本のページは全て密に、かつ全く重なり合って位置し、そして仕上げ断裁によっても非常に高価値の刷り本側面を生じさせることができる。
【００１５】
本発明の装置の他の有利な実施態様においては、第１の押さえつけ部材が刷り本側に弾性のある表面を有する。その場合、該表面は、例えば、発泡材料、カートン紙、またはその他の柔軟な材料である。そのような弾性のある表面を備えることによって、もし、そうでなければ刷り本を下方に押すことによって生じるであろう痕跡から、特に刷り本表面が保護される。
【００１６】
本発明の装置の他の有利な実施態様においては、該装置は、刷り本にゼロ位置を設定するストッパ手段を有する。この場合、ゼロ位置とは、仕上げ断裁された刷り本の幅、特に、第１の断裁位置に到達するために必要な第１のくわえづめの運動行路が測られる測定の起点である本の背の位置のことである。ストッパ手段は、刷り本の搬送経路中へ動かされ、紙揃え後に刷り本の搬送のために搬送経路を再び開放するために、搬送経路から再び退去させられるのが有利である。
【００１７】
本発明の装置の他の有利な実施態様においては、該装置は、刷り本をゼロ位置においてストッパ手段にまっすぐに突き当て直線突き当て手段を有する。このようにして、本の背も、事実上、所望の位置をとり、それに応じて小口仕上げ断裁を正確に実施し得ることが保証される。また、それによって、本の背は搬送方向に対して直角に向けられ、このことは、全ての仕上げ断裁が実施された後に直角の本を得るために重要である。直線突き当て装置として、例えば、刷り本をストッパまで搬送した搬送部材を用いることができるであろう。
【００１８】
本発明の装置の他の有利な実施態様においては、該装置は、渡し位置の近くに配置されている第２の押さえつけ部材を有する。この第２の押さえつけ部材は、刷り本を渡し位置に固定する働きをするので、刷り本は、また、第１のくわえづめから第２のくわえづめへの渡しの際に、常に、正しい位置と正しい角度の状態を維持し、したがって、仕上がりのよい本仕上げ断裁を実行することができる。この第２の押さえつけ部材が、刷り本を搬送方向に対して横方向に刷り本の全幅に亘って下方に押圧するのが有利である。したがって、本装置は、第１のくわえづめが刷り本を渡し位置に搬送したとき、第２のくわえづめが刷り本を渡し位置で把持するまで、第２の押さえつけ部材が該刷り本を押さえつけるように、第２の押さえつけ部材の駆動装置を制御する制御装置を有しているのが有利である。第２の押さえつけ部材の駆動装置は、例えば、空気圧駆動装置である。
【００１９】
本発明の装置のその他の有利な実施態様においては、該装置は、第２のくわえづめが、先行する刷り本を渡し位置から第２の位置へ搬送する間に、第１のくわえづめが刷り本をゼロ位置から前記第１の位置へ搬送するように、第１のくわえづめと第２のくわえづめの駆動装置を制御する制御装置を有する。この結果、両方のくわえづめは同一作業サイクルで作動する。したがって、小口仕上げ断裁と天地仕上げ断裁が同時に実行される。この結果、本発明の装置によって刷り本に関するできるだけ大きなスループットが達成される。
【００２０】
本発明の装置の他の有利な実施態様においては、三方断裁機内における刷り本の移動のための装置を対象にしており、三方断裁機は、刷り本の第１の位置で小口仕上げ断裁を実行する小口用断裁機と、刷り本の第２の位置で天地仕上げ断裁を実行する２つの天地用断裁機、および刷り本をゼロ位置に搬送する搬送台を有し、搬送台は、小口用断裁機へ手が届かせるのが容易になるように、これから離れるように揺動可能に支持されている。小口用カッタは刷り本の相互搬送経路に対して横方向であるので、カッターの交換を実行することは通常著しく面倒である。その理由は刷り本の搬送経路は困難を伴ってのみ遮断することができるからである。三方断裁機の給紙装置の搬送台は有利な点を有している。搬送台は、回転ジョイントの負荷を除くことができるように、車輪を備えた少なくとも１つの脚部を有することが有利である。さらに、搬送台は、搬送台を運転位置にロックするために、ロック装置を有することが有利である。
【発明を実施するための最良の形態】
【００２１】
次に、本発明の実施の形態について図面を参照して説明する。
【００２２】
図とそれらの説明は本発明の基本的要素に限定されている。さらに、一般に周知であり、かつ、装置の駆動のために必要な駆動手段、案内手段、および／または制御手段、およびカム板は単に概略的に表され、または、単に一般的な形で記述されている。個々の図形において、同一の参照番号は同一の部品を示している。
【００２３】
図１ａに表されているように、装置（三方仕上げ断裁装置）１００のハウジング８０内には、小口用カッタ２３が付属している小口用カッタ保持装置３３と、天地用カッタ２１、２２が付属している２つの天地用カッタ保持装置３１、３２が配置されている。カッタ保持装置３１、３２、３３の各々には、それぞれ駆動装置９１、９２、９６が付属し、駆動装置９１、９２、９６は駆動伝動部材９３、９４、９７と連結されている。制御装置９９がカッタ保持装置３１、３２、３３を動かす駆動装置９１、９２、９６を制御する。
【００２４】
刷り本１が、先ず、判型に応じて第１の断裁位置へ小口用カッタ２３に相対的に移動させられる。小口仕上げ断裁を実行した後に、刷り本１は第２の断裁位置へ両方の天地用カッタに相対的に搬送される。天地仕上げ断裁が実行された後、刷り本１は装置１００から搬出される。
【００２５】
図１ｂに示されている側面図には、刷り本１を第１の断裁位置へ、第２の断裁位置へ、そして仕上げ断裁装置１００へ搬送し、そして仕上げ断裁装置１００から送り出す２つのくわえづめ１２１、１２２が示されている。第１のくわえづめ１２１は、断裁位置をはっきりさせるために２度表示されている。第１のくわえづめ１２１が図１ｂの中央に占めている位置は、小口仕上げ断裁が行われた刷り本１が第２の断裁位置に搬送されるために第２のくわえづめ１２２に渡される渡し位置である。第２のくわえづめ１２２は突き揃え板１２５を有し、それによって、刷り本１は排紙装置１３５上へ突き揃えられると共に、同時に刷り本１’は第２の断裁位置に引っ張られる。
【００２６】
図２ａから２１には、本発明による装置の第１のくわえづめ１２１の運動経過と、小口仕上げ断裁と第２のくわえづめ（１２２）１２２への渡しを実行する装置との協働動作が表示されている。刷り本１は基台１９１、特に、搬送フィンガー１９０を備えた搬送台１９１上で本の背を前にして矢印で示された搬送方向に押し込められる。第１のくわえづめ１２１は、刷り本１から少し離れて搬送経路に沿ってストッパ１８２の後方におけるその出発位置にある。第１のくわえづめ１２１はこの位置において例えば開く、すなわち、上側のくわえづめシャンク１２３と下側のくわえづめシャンク１２６が互いに離される。図示されている実施形態では上側のくわえづめシャンク１２３がくわえるために空気圧で降下し、下側および上側のくわえづめシャンク１２６および１２３が持ち上がる（図３ａ、３ｂも参照されたい）。図２ａに表示されているように、この時点は、小口用カッタ２３、小口用カッタ押さえつけ部材１６７、ストッパ１８２、第１の押さえつけ部材１８０、お
よび第２の押さえつけ部材１８１は基台１９１から離れた位置、すなわち、受動（作動）位置にある。
【００２７】
図２ａから２１に示されているように、単一の刷り本１の代わりに、多数の同一の刷り本１、図示の例では４つの刷り本１から成る本の積み重ねを扱うことも可能である。多数の刷り本１を同時に処理することによって、刷り本を仕上げ断裁する装置の処理速度を必要とあればかなり加速することができる。このような装置によって本の一定の厚さ、例えば、６ｃｍを仕上げ断裁することができる。したがって、この例のままであるとすると、例えば、１ｃｍの厚さをもつ４個または５個の刷り本１を同時に断裁することができるであろう。刷り本１の装丁の材料が、一回の作業工程で仕上げ断裁することができる全厚さに影響をもつかどうかに、場合によっては注意すべきことである。
【００２８】
図２に表示されているように、次に、ストッパ１８２は移送経路中へ移動させられ、刷り本１がストッパに向かって搬送され、そして、この実施形態では搬送フィンガー１９０に相当する直線突き押し部材１９０によってまっすぐに突きそろえられる。それによって、刷り本１はゼロ位置をとる。続いて第１のくわえづめ１２１がそのゼロ位置に移動して、刷り本１が正しい角度でさらに搬送されることができるように刷り本１をくわえる。
【００２９】
続いて、刷り本１は第１の断裁位置へ移動する。そのとき、第１のくわえづめ１２１は双方向矢印で示されている、刷り本１の横幅に相当する区間を進む。この距離も判型に応じる。第１のくわえづめ１２１は、第１のくわえづめ１２１の位置を制御装置９９に送信し、図示されていない信号発生器を備えているので、制御装置９９は、それに応じて第１のくわえづめ１２１の図示されていない駆動装置を制御することができ、要求されている第１の断裁位置に第１のくわえづめ１２１を正確に運ぶことができる。刷り本１の移動の際、第１のくわえづめ１２１は、刷り本１上の見苦しい引きずり跡を防止するために、刷り本１を持ち上げることもできる。
【００３０】
図２ｄに示されているように、第１の押さえつけ部材１８０は次に第１の断裁位置において刷り本１を下方に押圧する。これは、一方においては、空気を刷り本１から押し出すため、他方においては刷り本の充分な固定を可能にし、仕上げ断裁の際に現れる横方向の力を吸収し、きれいな断裁を保証するためである。この断裁は、もし、刷り本１が断裁前にカッタ２３の出来るだけ近くで下方に押圧されるならば、特に良好になる。その理由によって、断裁が行われる前に（図２ｆ参照）、先ず、小口用カッタ押さえつけ部材１６７が刷り本１を押圧する（図２ｅ参照）。
【００３１】
小口仕上げ断裁がそのように実行された後に、小口用カッタ２３、小口用カッタ押さえつけ部材１６７、および第１の押さえつけ部材１８０は、再びそれらの元の出発位置に移動する。同時に、本の背が第１のくわえづめ１２１によって持ち上げられ、次に、引き渡し位置（図２ｇおよび図２ｈ参照）に引っ張られて降ろされる。引き渡し位置において刷り本１は、さらに、第２の押さえつけ部材１８１によって下方に押圧され、その結果、刷り本１のそろえが正しい角度、かつ、正しい位置に保持された状態で維持される。
【００３２】
つぎに、第１のくわえづめ１２１は刷り本１から取り外されて、先ず、後方に、そして次に刷り本１の下方を出発位置に再度運ばれる。同時に、第２のくわえづめ１２２が刷り本１の方へ搬送される（図２ｊ、２ｋ、および２ｌ）。第２のくわえづめ１２２は、第２のくわえづめ１２２が刷り本１を確実に把持し、かつ、第２の押さえつけ部材１８１が刷り本１を再び解放した後に、刷り本１を第２の断裁位置に動かす。第１のくわえづめ１２１はそのとき既に次の刷り本１’を待っている。第１のくわえづめ１２１は、第２のくわえづめ１２２が刷り本１の背の近くへ来た時点では、もう下方に下げられているので、第１のくわえづめ１２１と第２のくわえづめ１２２との間に衝突が起こることはあり得ない。
【００３３】
第１のくわえづめ１２１と第２のくわえづめ１２２は、第２のくわえづめ１２２を有し、天地仕上げ断裁が既に実行されている刷り本１を、刷り本１を仕上げ断裁する装置から押し出す働きをす突き当て板１２５だけが構造上実質的に異なっている。それらのくわえづめ１２１、１２２の構造が図３ａおよび図３ｂに示されている。上側のくわえづめシャンク１２３は、上側のくわえづめ調節部材１２４を介して下側のくわえづめシャンク１２６と連結されている。下側のくわえづめシャンク１２６は、くわえづめシャンク回転中心１３１に、回転ができるように支持されている。下側のくわえづめシャンク１２６は下側のくわえづめシャンク調節部材１２９と２つの棒１２７、１２８によって回転中心１３１の周りに揺動をすることができ、棒１２８は固定部材の周りに回転可能である。それによって、両方のくわえづめシャンク１２３、１２６のくわえ位置は変えられ、例えば、持ち上げることができる。それによって、刷り本１の持ち上げを少なくとも本の背の領域において実行することができ、これによって、刷り本１同士の位置の間が変化する際に引きずり痕を防止することができる。くわえづめ１２１、１２２は、図示されていない水平案内装置と連結されている滑車１３３を有する。上側および下側のくわえづめ調節部材１２４、１２９は例えば空気圧シリンダである。しかし、他の、例えば、電動機のような、当業者に公知の調節部材も同様に使用することができる。
【００３４】
図４ａおよび４ｂには、刷り本１の仕上げ断裁する装置を通過して刷り本１を移動させる装置の搬送台の詳細が示されている。搬送フィンガー１９０は、搬送台１９１の、搬送経路の中心線に関して対称に配置された２つの平行なスリット１９７の中を案内され、三方断裁機１００のハウジング８０の前で降下する。搬送台１９１からハウジング８０への移行部は揺動可能に支持された架橋板１９３によって覆われている。
【００３５】
搬送台１９１は、一方の側に、搬送台１９１を三方断裁機１００と連結されている関節連結部１９２を有している搬送台１９１は、搬送経路の他の側上に、搬送台１９１を作業位置にロックすることができるロック装置を有しており、その結果、搬送台１９１は、三方断裁機が運転中に三方断裁機１００のハウジング８０から誤って揺動することはない。関節連結部１９２の負荷を減らすために、搬送台１９１は車輪１９６によって床につながっている、少なくとも１つの搬送台脚１９５を有し、その結果、十分な支持作用が得られ、他方で搬送台１９１の揺動が容易に行われる。搬送台１９が揺動させられると、操作者は小口用カッタ２３に直接手を届かせ、カッターの取り替え、または保守作業を非常に楽に実行することができる。搬送部材１２１、１２２、１９０は搬送台１９１と三方断裁機１００との間の連結位置において機械式に互いの連結が外されているので、これらの位置で搬送経路を分離しまたは統合するために、ロック装置１９４の解除および締め込み以外には、他のどのような方策もとる必要はない。
【図面の簡単な説明】
【００３６】
【図１ａ】本発明の装置の個別駆動装置の概略図である。
【図１ｂ】刷り本の搬送経路を有する装置の概略側面図である。
【図２ａ】三方断裁機中における搬送経過と小口仕上げ断裁を示す概略図である。
【図２ｂ】三方断裁機中における搬送経過と小口仕上げ断裁を示す概略図である。
【図２ｃ】三方断裁機中における搬送経過と小口仕上げ断裁を示す概略図である。
【図２ｄ】三方断裁機中における搬送経過と小口仕上げ断裁を示す概略図である。
【図２ｅ】三方断裁機中における搬送経過と小口仕上げ断裁を示す概略図である。
【図２ｆ】三方断裁機中における搬送経過と小口仕上げ断裁を示す概略図である。
【図２ｇ】三方断裁機中における搬送経過と小口仕上げ断裁を示す概略図である。
【図２ｈ】三方断裁機中における搬送経過と小口仕上げ断裁を示す概略図である。
【図２ｉ】三方断裁機中における搬送経過と小口仕上げ断裁を示す概略図である。
【図２ｊ】三方断裁機中における搬送経過と小口仕上げ断裁を示す概略図である。
【図２ｋ】三方断裁機中における搬送経過と小口仕上げ断裁を示す概略図である。
【図２ｌ】三方断裁機中における搬送経過と小口仕上げ断裁を示す概略図である。
【図３ａ】本発明の装置のくわえづめの一実施形態の概略図である。
【図３ｂ】本発明の装置のくわえづめの一実施形態の概略図である。
【図４ａ】三方断裁機の搬送台の一実施形態の概略図である。
【図４ｂ】三方断裁機の搬送台の一実施形態の概略図である。
【符号の説明】
【００３７】
１、１’  刷り本
２３  小口用カッタ
２１  第１の天地用カッタ
２２  第２の天地用カッタ
３１  第１の天地用カッタ保持装置
３２  第２の天地用カッタ保持装置
３３  小口用カッタ保持装置
８０  ハウジング
９１  第１の天地用カッタ保持装置の駆動装置
９２  第２の天地用カッタ保持装置の駆動装置
９３  第１の駆動伝動部材
９４  第２の駆動伝動部材
９６  小口用カッタ保持装置の駆動装置
９７  第３の駆動伝動部材
９９  制御装置
１００  仕上げ断裁装置（三方断裁機）
１２１  第１のくわえづめ
１２２  第２のくわえづめ
１２３  上側のくわえづめシャンク
１２４  くわえづめ調節部材
１２５  突き揃え板
１２６  下側のくわえづめシャンク
１２７  棒
１２８  棒
１２９  くわえづめ調節部材
１３１  くわえづめシャンク回転中心
１３３  滑車
１３５  排紙装置
１６７  小口用カッタ押さえつけ部材
１８０  第１の押さえつけ部材
１８１  第２の押さえつけ部材
１８２  ストッパ
１９０  搬送フィンガー
１９１  搬送台（基台）
１９２  関節連結部
１９３  架橋板
１９４  ロック装置
１９５  搬送台脚
１９６  車輪
１９７  スリット
【図１ａ】
2004330409.tif 000003
【図１ｂ】
2004330409.tif 000004
【図２ａ】
2004330409.tif 000005
【図２ｂ】
2004330409.tif 000006
【図２ｃ】
2004330409.tif 000007
【図２ｄ】
2004330409.tif 000008
【図２ｅ】
2004330409.tif 000009
【図２ｆ】
2004330409.tif 000010
【図２ｇ】
2004330409.tif 000011
【図２ｈ】
2004330409.tif 000012
【図２ｉ】
2004330409.tif 000013
【図２ｊ】
2004330409.tif 000014
【図２ｋ】
2004330409.tif 000015
【図２ｌ】
2004330409.tif 000016
【図３ａ】
2004330409.tif 000017
【図３ｂ】
2004330409.tif 000018
【図４ａ】
2004330409.tif 000019
【図４ｂ】
2004330409.tif 000020